(57)【要約】【課題】雨跡の発生を抑制する。【解決手段】表示ユニット３００では、遮光フード３２０が表示灯３１の点灯面３１ａの周縁の少なくとも上半部を取り囲んで設けられた板状部材３２１であって、板状部材３２１の側辺部３２２に側辺部３２２の両端部よりも下方に位置する頂点部３２３を備える。このため、降雨時に、雨滴Ｒ１，Ｒ２は、表示ユニット３００の遮光フード３２０の側面及び側辺部３２２を伝って、側辺部３２２の両端部よりも下方に位置する頂点部３２３に流れて合わさり雨滴Ｒとなり、雨滴Ｒは、筐体２０の壁面から離れて重力方向に流れ落ちる。これにより、雨滴Ｒは筐体２０の壁面を伝わずに、落下するようになるために、筐体２０の壁面への雨跡の発生を抑制することができるようになり、筐体２０の壁面の清掃作業が不要となる。【選択図】図１
2014085641.tif 000002
【特許請求の範囲】
【請求項１】
任意の表記が対応付けられて、点灯面が点灯することで対応付けられた前記表記が有効であることを表す表示灯部と、
前記表示灯部の前記点灯面の周縁の少なくとも上半部を取り囲んで設けられた板状部材であって、前記板状部材の側辺部に前記側辺部の両端部よりも下方に位置する頂点部を備える遮光部と、
を有することを特徴とする表示装置。
【請求項２】
前記遮光部は、前記側辺部の前記点灯面側から前記頂点部の間に、延在して形成されたガイド部材であって、雨滴を前記頂点部に誘導する雨水受け部を有することを特徴とする請求項１記載の表示装置。
【請求項３】
前記遮光部は、前記板状部材の表面に前記頂点部を通る溝部が形成されていることを特徴とする請求項１または２に記載の表示装置。
【請求項４】
前記溝部は、前記板状部材の前記点灯面側から前記頂点部を通るように形成されていることを特徴とする請求項３記載の表示装置。
【請求項５】
前記遮光部は、前記頂点部に、前記表示灯部の前記点灯面の点灯方向側に延伸して線状部材が設けられていることを特徴とする請求項４記載の表示装置。
【請求項６】
前記表示灯部が縦方向に複数配置されており、前記複数の前記表示灯部に対してそれぞれ設けられた前記遮光部は、正面視で、下方の遮光部よりも広がって前記表示灯部に設けられていることを特徴とする請求項１乃至４のいずれか一項に記載の表示装置。
【請求項７】
前記表示灯部が縦方向に複数配置されており、前記複数の前記表示灯部に対してそれぞれ設けられた前記遮光部の前記頂点部同士が第１線状部材で接続されていることを特徴とする請求項１乃至４のいずれか一項に記載の表示装置。
【請求項８】
前記第１線状部材の最下端部に、前記表示灯部の前記点灯面の表示方向側に延伸して第２線状部材が設けられていることを特徴とする請求項７記載の表示装置。
【発明の詳細な説明】
【技術分野】
【０００１】
本発明は、表示装置に関するものである。
【背景技術】
【０００２】
信号機、誘導及び案内のための表示機、競技等で用いられるスコアボード及びカウントボード等には、表示灯が利用されている。特に、屋外で用いられる表示灯には、太陽光による視認性の低下を防止するために、遮光フードが設置されている（例えば、特許文献１参照）。
【０００３】
このように表示灯に遮光フードが設置された表示ユニットの一例として、野球のカウントボードについて図６を用いて説明する。
図６は、カウントボードを模式的に示す図である。
【０００４】
図６（Ａ）は、カウントボードの正面図、図６（Ｂ）は、カウントボードの側面図をそれぞれ表している。
カウントボード１０には、図６（Ａ）及び図６（Ｂ）に示すように、筐体２０の正面に、投球のカウントであるＢ（ボール）・Ｓ（ストライク）・Ｏ（アウト）を表すカウント表記２１が記載されている。また、各カウント表記２１に対応して、筐体２０に表示灯３１が取り付けられて、表示灯３１の上部を覆う様に遮光フード３２が筐体２０に接合された表示ユニット３０がそれぞれ設けられている。このような遮光フード３２により、屋外での太陽光の影響を受けずに表示灯３１の表示を視認することができる。
【０００５】
このようなカウントボード１０の表示ユニット３０の降雨時について図７を用いて説明する。
図７は、降雨時のカウントボードを模式的に示す図である。
【０００６】
図７（Ａ）は表示ユニット３０の正面拡大図並びに図７（Ｂ）は表示ユニット３０の側面拡大図、図７（Ｃ）はカウントボードの正面図をそれぞれ表している。
降雨時のカウントボード１０の表示ユニット３０では、図７（Ａ）及び図７（Ｂ）に示すように、雨滴Ｒは、遮光フード３２に対して降雨すると（矢印（１））、遮光フード３２の側面を重力方向に遮光フード３２の側辺部３２ａまで伝う（矢印（２））。側辺部３２ａは、傾斜していることから、雨滴Ｒは、筐体２０の壁面に向けて側辺部３２ａを伝い（矢印（３））、筐体２０の壁面に沿って重力方向（図７（Ａ）及び図７（Ｂ）下方）に流れ落ちていく（矢印（４））。
【０００７】
このように遮光フード３２は、表示灯３１に対する雨（同様に、雪）除けとしての機能を有する。
【先行技術文献】
【特許文献】
【０００８】
【特許文献１】特開２０１２−１７３６５１号公報
【発明の概要】
【発明が解決しようとする課題】
【０００９】
ところが、図７に示すカウントボード１０の表示ユニット３０では、遮光フード３２により除けられた雨滴Ｒは、図７（Ａ）〜図７（Ｃ）に示すように、最終的には、筐体２０の壁面を伝って重力方向（図中下方）に流れ落ちる（矢印（４））と、雨滴Ｒが伝った跡に雨跡Ｔが発生する。特に、屋外で用いられるようなカウントボード１０では、筐体２０に付着していた埃等が雨滴Ｒで洗い流され、雨跡Ｔがはっきりと残り、汚れとして目立ってしまうという問題点があった。また、このような雨跡Ｔの汚れを除くために、筐体２０の清掃作業を要し、設備の所有者には、清掃のための作業及び費用等の負担がかかるという問題点もあった。
【００１０】
本発明はこのような点を鑑みてなされたものであり、雨跡の発生を抑制する表示装置が提供される。
【課題を解決するための手段】
【００１１】
上記課題を解決するために、任意の表記が対応付けられて、点灯面が点灯することで対応付けられた前記表記が有効であることを表す表示灯部と、前記表示灯部の前記点灯面の周縁の少なくとも上半部を取り囲んで設けられた板状部材であって、前記板状部材の側辺部に前記側辺部の両端部よりも下方に位置する頂点部を備える遮光部と、を有する表示装置が提供される。
【発明の効果】
【００１２】
このような表示装置によれば、雨跡の発生を抑制することができる。
【図面の簡単な説明】
【００１３】
【図１】第１の実施の形態におけるカウントボードの表示ユニットを説明するための図である。
【図２】第１の実施の形態における表示ユニットの遮光フードを説明するための図である。
【図３】第２の実施の形態におけるカウントボードの表示ユニットを説明するための図である。
【図４】第３の実施の形態におけるカウントボードの表示ユニットを説明するための図である。
【図５】第４の実施の形態におけるカウントボードの表示ユニットを説明するための図である。
【図６】カウントボードを模式的に示す図である。
【図７】降雨時のカウントボードを模式的に示す図である。
【発明を実施するための形態】
【００１４】
以下、実施の形態として図面を参照して説明する。なお、以下に説明する実施の形態では、野球のカウントボードを例に挙げて説明する。
［第１の実施の形態］
第１の実施の形態のカウントボードについて図１を用いて説明する。
【００１５】
図１は、第１の実施の形態におけるカウントボードの表示ユニットを説明するための図である。
なお、図１（Ａ）は、カウントボードの正面図、図１（Ｂ）は、表示ユニットの側面図並びに図１（Ｃ）は、表示ユニットの正面図をそれぞれ表している。
【００１６】
また、図２は、第１の実施の形態における表示ユニットの遮光フードを説明するための図である。
なお、図２（Ａ）は、図１に示す遮光フードの展開図、図２（Ｂ）は、別の遮光フードの正面図、図２（Ｃ）は、展開図をそれぞれ示している。
【００１７】
カウントボード１０において、図１（Ａ）に示すように、Ｂ・Ｓ・Ｏのカウント表記２１に対してそれぞれ設けられた表示ユニット３００は、降雨時の雨滴を遮光フードが接合された筐体の壁面から離して流し落とすようにすることで、筐体の壁面における雨跡による汚れの発生を抑制することができるものである。
【００１８】
このような表示ユニット３００（表示装置）は、図１（Ｂ）及び図１（Ｃ）に示すように、表示灯３１０（表示灯部）及び遮光フード３２０（遮光部）を備える。
表示灯３１は、Ｂ・Ｓ・Ｏのカウント（任意の表記）が対応付けられて、点灯面３１ａが点灯することで対応付けられたカウントが有効であることを表す。なお、表示灯３１の点灯面３１ａには、例えば、ＬＥＤ（Light Emitting Diode）が複数設けられている。Ｂでは緑、Ｓでは黄、Ｏでは赤がそれぞれ発光するようにする。また、表示灯３１にはカウントに限らず、数字、アルファベット、選手、任意の記号等を対応付けることができる。例えば、スコアボード等において、打順に基づき配列された選手に対応付けた表示灯３１をそれぞれ設け、表示灯３１が点灯することで、当該表示灯３１に対応付けられた選手の打席であることを示すようにすることが可能である。また、Ｈ（ヒット）・Ｅ（エラー）・Ｆｃ（フィルダースチョイス）に対応付けた表示灯３１をそれぞれ設け、表示灯３１が点灯することで、打球に対する判定を表すようにすることが可能である。
【００１９】
遮光フード３２０は、表示灯３１の点灯面３１ａの周縁の少なくとも上半部を取り囲んで設けられた板状部材３２１であって、板状部材３２１の側辺部３２２に側辺部３２２の両端部よりも下方に位置する頂点部３２３を備える。このような遮光フード３２０は、例えば、アルミニウムの金属板等により構成される板状部材３２１を図２（Ａ）に示されるように加工して、点灯面３１ａの周縁に沿って当該周縁の上半部以上を取り囲むように曲げて筐体２０の壁面に接合して取り付けることで、上方より照射される太陽光に対する遮光及び表示灯３１に対する雨（及び雪）除けとしての機能が維持される。また、遮光フード３２０は、正面視で半円形（図１（Ｃ））に限らず、例えば、図２（Ｂ）及び図２（Ｃ）に示されるように、雨滴を伝わせて図中下方に流すことができる、正面視で三角形のような形状の板状部材３２１ａであって、側辺部３２２ａに側辺部３２２ａの両端部よりも下方に位置する頂点部３２３ａを備える遮光フード３２０ａを適用することができる。
【００２０】
このような構成を有する表示ユニット３００に対する雨滴の流れについて図１（Ｂ）及び図１（Ｃ）を用いて説明する。
降雨の時には、表示ユニット３００の遮光フード３２０に対して、雨滴Ｒ１，Ｒ２が降下する（矢印１ａ，１ｂ）。
【００２１】
雨滴Ｒ１，Ｒ２は、それぞれ、遮光フード３２０の側面を重力方向（図中下向き）に伝って、遮光フード３２０の側辺部３２２に流れる（矢印２ａ，２ｂ）。
ここで、頂点部３２３は、側辺部３２２の端部よりも下方に位置していることから、遮光フード３２０の側辺部３２２（図１（Ｂ）では側辺部３２２の端部付近）に流れた雨滴Ｒ１，Ｒ２は、側辺部３２２を伝って当該頂点部３２３に流れる（矢印３ａ，３ｂ）。
【００２２】
頂点部３２３に流れた雨滴Ｒ１，Ｒ２は、当該頂点部３２３で合わさり、雨滴Ｒとなって、重力方向（図中下方向）に流れ落ちる（矢印４）。頂点部３２３は、側辺部３２２の端部よりも下方に位置しているために筐体２０の壁面から離れている。このため、雨滴Ｒを、筐体２０の壁面を伝わせずに、重力方向に流れ落とすことができる。
【００２３】
このように、上記の表示ユニット３００では、遮光フード３２０が表示灯３１の点灯面３１ａの周縁の少なくとも上半部を取り囲んで設けられた板状部材３２１であって、板状部材３２１の側辺部３２２に側辺部３２２の両端部よりも下方に位置する頂点部３２３を備える。このため、降雨時に、雨滴Ｒ１，Ｒ２は、表示ユニット３００の遮光フード３２０の側面及び側辺部３２２を伝って、側辺部３２２の両端部よりも下方に位置する頂点部３２３に流れて合わさり雨滴Ｒとなり、雨滴Ｒは、筐体２０の壁面から離れて重力方向に落下する。これにより、雨滴Ｒは筐体２０の壁面を伝わずに、落下するようになるために、筐体２０の壁面への雨跡の発生を抑制することができるようになり、筐体２０の壁面の清掃作業が不要となる。
【００２４】
［第２の実施の形態］
第２の実施の形態では、表示ユニットにおいて表示灯に対する遮光フードの様々な形態について図３を用いて説明する。
【００２５】
図３は、第２の実施の形態におけるカウントボードの表示ユニットを説明するための図である。
なお、図３（Ａ）は、実施例２−１の表示ユニットの側面図、図３（Ｂ）は、実施例２−１の表示ユニットの正面図、図３（Ｃ）及び図３（Ｄ）は、実施例２−２の表示ユニットの側面図（１，２）をそれぞれ表している。
【００２６】
（実施例２−１）
実施例２−１に示す表示ユニット１３００の遮光フード１３２０には、図３（Ａ）及び図３（Ｂ）に示されるように、板状部材３２１の側辺部３２２に側辺部３２２の両端部よりも下方に位置する頂点部３２３を備える。さらに、側辺部３２２の（筐体２０の壁面側の）端部から頂点部３２３までに延在するガイド部材として、例えば、Ｕ字状の雨水受け部３２４が形成されている。
【００２７】
このため、表示ユニット１３００でも、降雨時に、雨滴Ｒ１，Ｒ２は、表示ユニット１３００の遮光フード３２０の側面及び側辺部３２２を伝って、Ｕ字状の雨水受け部３２４を伝って、側辺部３２２の両端部よりも下方に位置する頂点部３２３に流れて合わさり雨滴Ｒとなり、雨滴Ｒは、筐体２０の壁面から離れて重力方向に流れ落ちる。また、Ｕ字状の雨水受け部３２４が形成されているために、第１の実施の形態の場合と比較して、雨滴Ｒ２がたまり易くなり、また、雨滴Ｒ２が頂点部３２３側（一方向）に流れ易くなる。これにより、雨滴Ｒは筐体２０の壁面を伝わずに、流れ落ちるようになるために、筐体２０の壁面への雨跡の発生を抑制することができるようになり、筐体２０の壁面の清掃作業が不要となる。
【００２８】
また、雨水受け部３２４を備える遮光フード１３２０では、降雨時に、例えば、雨滴Ｒ２は、遮光フード３２０の側面を重力方向（図中下向き）に伝わり、遮光フード３２０の筐体２０側の側辺部３２２の端部に流れると、雨水受け部３２４に沿って頂点部３２３に流れるようになる（矢印２ｃ）。
【００２９】
これにより、降雨時に、例えば、風が吹いている場合でも、遮光フード１３２０の側辺部３２２に流れた雨滴を、筐体２０の壁面側に流されることなく、側辺部３２２を伝って確実に頂点部３２３に集めて、重力方向に流れ落とすことができるようになる。なお、実施例２−１では、雨水受け部３２４をＵ字状としているが、これに限らず、Ｖ字、コの字等、雨滴Ｒ２が雨水受け部３２４に溜まり、雨水受け部３２４を伝い易くなる形状であれば良い。
【００３０】
（実施例２−２）
実施例２−２に示す表示ユニット２３００の遮光フード２３２０にも、側辺部３２２に側辺部３２２の両端部よりも下方に位置する頂点部３２３を備える。さらに、図３（Ｃ）に示されるように、側面に、頂点部３２３に通じる溝部３２５，３２５ａ，３２５ｂが形成されている。
【００３１】
このため、表示ユニット２３００でも、降雨時に、雨滴は、表示ユニット２３００の遮光フード２３２０の側面及び側辺部３２２を伝って、側辺部３２２の両端部よりも下方に位置する頂点部３２３に流れて合わさり、合わさった雨滴は、筐体２０の壁面から離れて重力方向に落下する。これにより、雨滴は筐体２０の壁面を伝わずに、落下するようになるために、筐体２０の壁面への雨跡の発生を抑制することができるようになり、筐体２０の壁面の清掃作業が不要となる。
【００３２】
また、溝部３２５，３２５ａ，３２５ｂが形成された遮光フード２３２０では、例えば、雨量が多い場合でも、雨滴を確実に頂点部３２３に流すことができるようになる。特に、筐体２０の壁面から頂点部３２３に向かって形成されている溝部３２５ａ，３２５ｂは、雨量が多い場合でも、遮光フード２３２０の側面を伝って側辺部３２２を超えて、筐体２０の壁面を伝って流れ落ちる雨滴の多くを頂点部３２３に流し集めることができる。
【００３３】
なお、図３（Ｃ）に示す溝部３２５，３２５ａ，３２５ｂは一例であって、頂点部３２３に向かって形成されていれば、任意の本数を形成するようにしても構わない。また、溝部３２５，３２５ａ，３２５ｂに代わって、遮光フード２３２０の板状部材３２１の表面にガイド（図示を省略）を形成しても、溝部３２５，３２５ａ，３２５ｂの場合と同様の効果が得られる。
【００３４】
図３（Ｄ）では、さらに、このような遮光フード２３２０の頂点部３２３から、点灯面３１ａの点灯方向側（図中左側）に延伸する線状部材３２６を取り付けることができる。線状部材３２６は、例えば、ワイヤ等を適用することができる。これにより、頂点部３２３から流れ落ちる雨滴を線状部材３２６に伝わせることで、筐体２０の壁面からより離れた位置で、線状部材３２６の端部から重力方向（図中下方）に落下させることができる。これにより、例えば、風が吹いている場合でも、頂点部３２３に集められた雨滴は、筐体２０の壁面側に流されたとしても、筐体２０の壁面に付着しにくくなり、重力方向に流すことができるようになる。
【００３５】
［第３の実施の形態］
第３の実施の形態では、例えば、野球のカウンタボード等のように表示ユニットが複数配列されている場合に適用される例について、図４を用いて説明する。
【００３６】
図４は、第３の実施の形態におけるカウントボードの表示ユニットを説明するための図である。
カウントボード１０は、既述の通り、Ｂ・Ｓ・Ｏのカウント表記２１に対して表示ユニット３３００がそれぞれ配列されている。
【００３７】
表示ユニット３３００が備える遮光フード３３２０ａ〜３３２０ｃは、第１及び第２の実施の形態と同様に、頂点部３２３（図示を省略）を備える遮光フード３２０（図１（Ｂ）及び図１（Ｃ）），１３２０（図３（Ａ）及び図３（Ｂ）），２３２０（図３（Ｃ）及び図３（Ｄ））と同様の形状である。但し、第３の実施の形態では、図４に示されるように、表示ユニット３３００が備える表示灯３１を取り囲む上段の遮光フード３３２０ａの径（曲率）が、下部の遮光フード３３２０ｂ，３３２０ｃの径（曲率）よりも広く（小さく）なるようにしている。
【００３８】
このため、表示ユニット３３００では、降雨時に、雨滴Ｒ３は、表示ユニット２３００の最上段の遮光フード３３２０ａの側面及び側辺部３２２を伝って、側辺部３２２の両端部よりも下方に位置する頂点部３２３に流れて、中段の遮光フード３３２０ｂから伝った雨滴Ｒ４、下段の遮光フード３３２０ｃから伝った雨滴Ｒ５と合わさり雨滴Ｒ６となり、合わさった雨滴Ｒ６は、筐体２０の壁面から離れて重力方向に落下する。これにより、雨滴は筐体２０の壁面を伝わずに、落下するようになるために、筐体２０の壁面への雨跡の発生を抑制することができるようになり、筐体２０の壁面の清掃作業が不要となる。
【００３９】
さらに、表示ユニット３３００が備える表示灯３１を取り囲む上段の遮光フード３３２０ａの径を、下部の遮光フード３３２０ｂ，３３２０ｃの径よりも広くすることで、遮光フード３３２０ａから流れ落ちた雨滴Ｒ３は、下方の表示ユニット３３００の中段の遮光フード３３２０ｂ、下段の遮光フード３３２０ｃに触れずに流れ落ちるようになる。このため、上方から流れ落ちてきた雨滴Ｒ３が下方の表示ユニット３３００の遮光フード３３２０ｂ、遮光フード３３２０ｃに接触することによる筐体２０の壁面への飛散を防止することができる。
【００４０】
［第４の実施の形態］
第４の実施の形態では、第３の実施の形態と同様に、表示ユニットが複数配列されている場合に適用される例について、図５を用いて説明する。
【００４１】
図５は、第４の実施の形態におけるカウントボードの表示ユニットを説明するための図である。
なお、図５（Ａ）はカウントボード１０の正面図、図５（Ｂ）は、カウントボード１０の側面図及び図５（Ｃ）は、別のカウントボード１０の側面図をそれぞれ表している。
【００４２】
カウントボード１０では、第１の実施の形態の表示ユニット３００が設置されている。このようなカウントボード１０において、図５（Ａ）〜図５（Ｃ）に示されるように、図中縦方向に配置された表示ユニット３００の遮光フード３２０の頂点部３２３間が線状部材３３０（第１線状部材）で接続されている。なお、線状部材３３０は、第２の実施の形態の実施例２−２と同様に、例えば、ワイヤ等を適用することができる。
【００４３】
したがって、表示ユニット３００では、降雨時に、雨滴は、表示ユニット３００の遮光フード３２０の側面及び側辺部３２２を伝って、側辺部３２２の両端部よりも下方に位置する頂点部３２３に流れて合わさり雨滴となり、合わさった雨滴は、筐体２０の壁面から離れて重力方向に流れ落ちる。これにより、雨滴は筐体２０の壁面を伝わずに、流れ落ちるようになるために、筐体２０の壁面への雨跡の発生を抑制することができるようになり、筐体２０の壁面の清掃作業の発生も抑制する。
【００４４】
さらに、縦方向に配列した表示ユニット３００において、線状部材３３０で遮光フード３２０の頂点部３２３同士が接続されることにより、降雨時に遮光フード３２０の頂点部３２３に集まった雨滴は線状部材３３０を伝わって重力方向に流れ落ちる。このため、例えば、降雨と共に、風が吹いている場合には、頂点部３２３から流れ落ちる雨滴は、線状部材３３０を伝わるために、筐体２０の壁面側への風の影響による飛散が抑制される。
【００４５】
さらに、このような遮光フード３２０の頂点部３２３を接続する線状部材３３０の最下端部から、図５（Ｂ）に示すように、点灯面３１ａの点灯方向側（図中左側）に延伸する線状部材３３１（第２線状部材）をさらに取り付けることができる。これにより、第２の実施の形態の実施例２−２（図３（Ｄ））と同様に、頂点部３２３から線状部材３３０を伝わって流れ落ちる雨滴を線状部材３３１に伝わせることで、筐体２０の壁面からより離れた位置で、線状部材３３１の端部から重力方向（図中下方）に落下させることができる。これにより、雨量が多く、例えば、風が吹いている場合でも、頂点部３２３に集められた雨滴は、筐体２０の壁面側に流されたとしても、筐体２０の壁面に付着しにくくなり、重力方向に流すことができるようになる。
【００４６】
なお、第４の実施の形態では、第１の実施の形態の遮光フード３２０に限らず、第２の実施の形態の遮光フード１３２０，２３２０（図３（Ａ）〜図３（Ｄ））を適用することも可能である。
【００４７】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【００４８】
１０  カウントボード
２０  筐体
２１  カウント表記
３１  表示灯
３１ａ  点灯面
３００  表示ユニット
３２０  遮光フード
３２１  板状部材
３２２  側辺部
３２３  頂点部
【図１】
2014085641.tif 000003
【図２】
2014085641.tif 000004
【図３】
2014085641.tif 000005
【図４】
2014085641.tif 000006
【図５】
2014085641.tif 000007
【図６】
2014085641.tif 000008
【図７】
2014085641.tif 000009